(57)【要約】【課題】画像形成される画像の品位と送信される画像の品位をより向上させる。【解決手段】ハンドスキャナ６が所定移動量を移動したことが検出されると、ハンドスキャナＩＣ３０７は読み取りを開始し、ラインセンサ３１２からのアナログ信号を量子化し、白補正と暗補正を行う。その後、写真モードが選択された時には、γ補正部で所定の濃度変換を行い、多値データの形式でＳＲＡＭ３０４に格納する。解像度は、副走査方向については、高精細モード時２００ｄｐｉ、普通モード時１００ｄｐｉ、主走査方向については、ラインセンサ３１２と印字解像度の解像度の低い値である３００ｄｐｉで出力ｉ／ｆ８０９から出力し、ＳＲＡＭ３０４に格納する。【選択図】        図３
2004153719.tif 000002
【特許請求の範囲】
【請求項１】
ハンドスキャナを有するファクシミリ装置において、
前記ハンドスキャナは、
画像をカラーまたはモノクロのいずれで取り込むかを指示するための第１カラー・モノクロ指示手段と、
読み取る画像の主走査解像度と副走査解像度の対を予め定めた複数対から選択するための第１選択手段と、
文字モードまたは写真モードのいずれで画像を読み取るかを指示するための第１モード指示手段と、
読み取られた画像を処理する画像処理手段と、
前記第１カラー・モノクロ指示手段および前記第１モード指示手段によるそれぞれの指示と、前記第１選択手段により選択された解像度とに従って前記画像処理手段を制御する第１制御手段と
を備え、
本ファクシミリ装置は、
カラーまたはモノクロのいずれで画像を取り込むかを指示するための第２カラー・モノクロ指示手段と、
入力された画像を送信するかコピーするかのいずれかを指示するための送信・コピー指示手段と、
該指示手段により指示された送信またはコピーするための画像の主走査解像度と副走査解像度の対を予め定めた複数対から選択するための第２選択手段と、
文字モードまたは写真モードのいずれで画像を読み取るかを指示するための第２モード指示手段と、
前記第２カラー・モノクロ指示手段および前記第２モード指示手段によるそれぞれの指示と、前記第２選択手段により選択された解像度とに従って前記画像処理手段を制御する第２制御手段と、
画像を前記送信・コピー指示手段によるコピー指示に応答して画像形成する画像形成手段と、
画像を前記送信・コピー指示手段による送信指示に応答して送信する送信手段と
を備えたことを特徴とするファクシミリ装置。
【発明の詳細な説明】
【０００１】
【発明の属する技術分野】
本発明は、ファクシミリ装置に関する。
【０００２】
【従来の技術】
従来から、コードレスハンドスキャナを接続できるファクシミリ装置が知られている。コードレスハンドスキャナは、本体と独立に動作可能なことから、本体と離れた場所で文書を読み取ったり、本体読み取り部を通せないようなブック原稿の読み取りが可能である。このコードレスハンドスキャナで読み取った画像はハンドスキャナをファクシミリ装置に接続して印字出力するか、ファクシミリ送信することができる。
【０００３】
特許文献１には、入力した多値データを一時記憶し、複数の解像度変換と２値化手段で２値データを生成する方法が開示されているが、画質改善の手法の１つである一時記憶する多値データの解像度については開示されていない。また、画像種設定に応じて多値蓄積と、２値化したデータの蓄積を行う方法についても開示されていない。
【０００４】
特許文献２には、低解像度の２値化画像データを高解像度の出力デバイスに出力して再生する場合の高画質化について開示されおり、この開示されている方法は２値画像の高画質化に有効であるが、ハードウェアの規模の増大という問題があり、読み取った画像を蓄積する時には画質向上の方法としては不十分なものであった。
【０００５】
【特許文献１】
特開平８−２４２３６７号公報
【０００６】
【特許文献２】
特開平５−３２８１４４号公報
【０００７】
【発明が解決しようとする課題】
インクジェットタイプのプリンタを有するファクシミリ装置は、多くの場合、このプリンタの解像度がファクシミリ送信で用いられる解像度よりも高いので、印字データの解像度が低い場合に元画像と等倍の画像を得るには、解像度の変換を行ってから印字しなければならない。
【０００８】
したがって、このファクシミリ装置を用いてコピーをする場合には、プリンタの解像度に合わせて多値レベルで解像度変換を行ってから、２値化印字出力をするのが一般的である。
【０００９】
また、ハンドスキャナでは読み取ったモノクロ画像は、２値レベルで保持するのが一般的である。
【００１０】
シート読み取り時では、副走査の解像度は原稿の送り量を制御して読み取り、主走査の解像度は多値レベルでの解像度変換を行うことにより、コピー・ファクシミリ送信に最適な解像度で読みとることが可能である。
【００１１】
しかし、ハンドスキャナのように、読み取る際に、用途が確定しない読み取り装置では、読み取り時には固定した解像度で読まざるを得ない。コピー時の画像を優先して印字部の解像度に合わせて読み取ろうとすると、一般的な読み取りセンサは固定周期で主走査１ライン分の画像を読み取るための直交方向（副走査方向）の解像度は、読み取り速度に影響するので、読み取り速度が増大してしまい、ユーザが手動でハンドスキャナを移動させ原稿読み取りを行う場合、実用的ではない。
【００１２】
主走査のみ印字部の解像度に合わせ、写真原稿などを副走査方向について粗く読み取り印字出力する際に、副走査方向の解像度変換を行って出力するため、単純な画素重複による解像度変換を行うと、黒ドットが大きくなってしまうという問題がある。
【００１３】
また、主走査のみ印字部に合わせた読み取り画像をファクシミリ送信する場合には、主走査解像度を副走査解像度に合わせて解像度を低下させる解像度変換を行う必要があるが、解像度を低下させようとして単純に間引き処理を行なうと、画像の欠落が生じ、送信解像度で読み取った画像よりも画質が低下するという問題がある。
【００１４】
逆に、主走査・副走査共に送信解像度での読み取りを行うと、印字出力時の画像は印字部の解像度に合わせて読み取ったときよりも低下してしまう。
【００１５】
本発明の目的は、上記のような問題点を解決し、画像形成される画像の品位と送信される画像の品位をより向上させることができるファクシミリ装置を提供することにある。
【００１６】
【課題を解決するための手段】
請求項１の発明は、ハンドスキャナを有するファクシミリ装置において、前記ハンドスキャナは、画像をカラーまたはモノクロのいずれで取り込むかを指示するための第１カラー・モノクロ指示手段と、読み取る画像の主走査解像度と副走査解像度の対を予め定めた複数対から選択するための第１選択手段と、文字モードまたは写真モードのいずれで画像を読み取るかを指示するための第１モード指示手段と、読み取られた画像を処理する画像処理手段と、前記第１カラー・モノクロ指示手段および前記第１モード指示手段によるそれぞれの指示と、前記第１選択手段により選択された解像度とに従って前記画像処理手段を制御する第１制御手段とを備え、本ファクシミリ装置は、カラーまたはモノクロのいずれで画像を取り込むかを指示するための第２カラー・モノクロ指示手段と、入力された画像を送信するかコピーするかのいずれかを指示するための送信・コピー指示手段と、該指示手段により指示された送信またはコピーするための画像の主走査解像度と副走査解像度の対を予め定めた複数対から選択するための第２選択手段と、文字モードまたは写真モードのいずれで画像を読み取るかを指示するための第２モード指示手段と、前記第２カラー・モノクロ指示手段および前記第２モード指示手段によるそれぞれの指示と、前記第２選択手段により選択された解像度とに従って前記画像処理手段を制御する第２制御手段と、画像を前記送信・コピー指示手段によるコピー指示に応答して画像形成する画像形成手段と、画像を前記送信・コピー指示手段による送信指示に応答して送信する送信手段とを備えたことを特徴とする。
【００１７】
【発明の実施の形態】
以下、本発明の実施の形態を図面を参照して詳細に説明する。
【００１８】
図１は本発明の一実施の形態を示す。これは、ハンドスキャナを有するファクシミリ装置の例であり、その外観を図２に示す。
【００１９】
図２において、１はファクシミリ本体、２は音声を入力するためのマイク、３は音声の入力と電話通話のためのハンドセットである。４はスピーカであり、呼出音やガイダンス音等のＦＡＸの状態を音声でユーザに伝えるものである。
【００２０】
６はハンドスキャナであり、ファクシミリ本体１と独立して動作可能になっている。５はハンドスキャナ６とファクシミリ本体１を接続するためのケーブルであり、このケーブルのハンドスキャナ６側の接続部は、取り外し可能になっている。ケーブル５は、ＣＰＵ２０１（図１）に結合されるデータと、ファクシミリ本体１からハンドスキャナ６に送出される読み取り同期信号ＸＳＨと、読み取り開始信号ＸＬＳＴと、ファクシミリ本体１とハンドスキャナ６の状態を示す数本のステータス信号とを送受するための信号線と、ファクシミリ本体１から供給される電源線とにより構成される。
【００２１】
７はローラであり、ファクシミリ本体１に格納されたハンドスキャナ６と協働して原稿を搬送するためのものである。９および１０はスライダであって、連動しており、原稿挿入口１１の原稿を中央振り分けで挿入と搬送を行うためのものである。１２は記録紙と原稿の保持用のワイヤトレイである。１３はスライダであり、記録紙挿入口８の記録紙を片側基準で挿入し搬送するためのものである。
【００２２】
１４はオペレーションパネルであり、キーボードと、画像形成装置の状態等を表示するＬＥＤ表示部とを有する。１５は情報を表示するＬＣＤ表示部である。１６はリリースボタンであり、オペレーションパネル１４を上部に開いて印字部を操作可能とするためのものである。１７はｉ／ｆ端子であり、ＴＶ等の外部映像機器と接続するためのものである。１８はメモリカード接続端子であり、メモリカードを接続するためのものである。
【００２３】
図１を説明する。図１において、２〜６，１４は図２と同一部分を示す。ＣＰＵ２０１と、ＲＯＭ２０３と、ＳＲＡＭ２０４と、フラッシュメモリ２０５と、モデム２０６と、システムゲートアレイ２１１とが、バス２０２を介して、相互に接続してある。
【００２４】
ＲＯＭ２０３は制御プログラムが格納してある。ＣＰＵ２０１はＲＯＭ２０３の制御プログラムに従って本ファクシミリ装置の各部を制御するものである。ＳＲＡＭ２０４は発信元情報、ユーザ登録情報等を記憶するためのものである。フラッシュメモリ２０５は画像・音声データを蓄積するためのものである。モデム２０６は画像信号を音声帯域の信号に変復調するものである。
【００２５】
２０７は網制御ユニット（ＮＣＵ）であって、モデム２０６と公衆電話回線２０８に接続してあり、公衆電話回線２０８と本ファクシミリ装置１との接続を制御するものである。２０９はクロスポイントであり、マイク２と、システムゲートアレイ２１１と、スピーカ４と、ＮＣＵ２０７と、ハンドセット３と、コードレス子機２２６用のコードレス電話機ベースユニット２２５と間を選択的に接続するためのものである。
【００２６】
２１８はインクジェットタイプの記録ヘッドであり、副走査方向に複数のノズルを並べたヘッド記録面を有する。記録動作時には、記録ヘッドが装着されたキャリッジを、ノズルの配列方向と直交した主走査方向に往復運動することにより、複数のノズルによる記録幅分の領域に画像が形成され、その後、記録紙を記録幅分だけ副走査方向に搬送し、記録動作を繰り返すことにより、記録紙上に画像が形成されるようになっている。プリントヘッドの主走査解像度および副走査解像度は、３６０ｄｐｉである。記録ヘッド２１８としては、カラーでの記録が可能なものでも、モノクロでの記録が可能なものでもよい。また、記録ヘッド２１８に代えて熱転写タイプの記録ヘッドを用いることもできる。
【００２７】
２１９はＤＲＡＭであり、画像・音声データを一時的に格納したり、記録ヘッド２１８に供給するための画像を一時的に蓄えたり、ＣＰＵ２０１のワーク領域として使用される。２２０はプリントカートリッジセンサであり、プリントカートリッジの有無及び種類を検出するためのものである。２２１は原稿検出センサであり、原稿幅、原稿の有無を検出するためのものである。２２２は用紙検出センサであり、用紙サイズ、用紙の有無を検出するためのものである。
【００２８】
２２４はモータドライバであり、原稿を搬送するための読み取りモータ２２３を駆動するものである。２２８はモータドライバであり、記録紙を副走査方向に搬送するためのＬＦモータ２２７を駆動するものである。２２９はモータドライバであり、記録ヘッド２１８が装着されたキャリッジを駆動するためのＣＲモータを駆動するものである。
【００２９】
システムゲートアレイ２１１は、クロスポイント２０９と、記録ヘッド２１８と、ＤＲＡＭ２１９と、プリントカートリッジセンサ２２０と、原稿検出センサ２２１と、記録用紙検出センサ２２２と、モータドライバ２２４と、オペレーションパネル１４とに接続してあって、記録ヘッド２１８のノズルの配列に合わせて主走査方向に並んだ画像データを副走査方向に並んだ画像データに変換して記録ヘッド２１８に転送する処理や、オペレーションパネ２１３のキーボードから入力されたキー入力データや各種センサの出力信号を、ＣＰＵ２０１が判別できるコード信号に変換する処理や、読み取りモータの駆動タイミング処理を行うものである。
【００３０】
図３は図２のハンドスキャナ６の構成を示す。ハンドスキャナ６は、ＣＰＵ３０１と、ＲＯＭ３０３と、ＳＲＡＭ３０４と、フラッシュメモリ３０５と、ハンドスキャナＩＣ３０７とがバス３０２を介して相互に接続してある。
【００３１】
ＲＯＭ３０３は制御プログラムが格納してある。ＣＰＵ３０１はＲＯＭ３０３の制御プログラムに従って、ハンドスキャナ６全体の動作を制御し、画像の圧縮伸張・変換処理等を行うものである。ＳＲＡＭ３０４はＣＰＵ３０１のワーク領域として使用されている。フラッシュメモリ３０５は管理情報等や読み取った画像を蓄積格納するためのものである。
【００３２】
ハンドスキャナＩＣ３０７は、赤、緑、青色ＬＥＤ光源３０９，３１０，３１１の駆動制御や、移動検出センサ３０８からの信号解析と、ラインセンサ３１２の駆動制御を行い、入力されるアナログビデオ信号に画像処理を行うものであり、画像入出力ｉ／ｆ３１３と、メモリカードｉ／ｆ３１４と、本体ｉ／ｆ２３１とを有する。
【００３３】
ラインセンサ３１２は画像を読み取るためのものであり、主走査方向に３００ｄｐｉの解像度を有し、主走査方向に１ライン分のデータを読み取ることができる。移動検出センサ３０８はハンドスキャナ６の移動を検出するためのものである。赤色ＬＥＤ光源３０９、緑色ＬＥＤ光源３１０、青色ＬＥＤ光源３１１は、ラインセンサ３１２により画像を読み取るための光源である。光源にＬＥＤを用いているのは、装置の小型化が可能であるためであり、ＬＥＤ光源は蛍光燈等と比べると光量が安定していて応答も速いため、光源の高速な切替えが可能であるからである。光源にＬＥＤを用いると、シートスルータイプで高速な画像形成装置を提供できる。また、ＬＥＤ光源の消費電流は蛍光燈等と比較すると小さいので、消費電力の小さい家庭向きの画像形成装置を提供できる。
【００３４】
ハンドスキャナＩＣ３０７は、ハンドスキャナ６で読み取った画像や、内部のステータスを映像化した画像を、ＴＶ表示用のアナログ映像信号に変換して画像入出力ｉ／ｆ３１３を介して送出したり、ＴＶからのアナログ映像信号を画像入出力ｉ／ｆ３１３を介して取り込み、デコードしデジタルデータとして出力することができる。
【００３５】
画像入出力ｉ／ｆ３１３のコネクタは、一般的なミニジャックの形状で、ＴＶ、ビデオの映像、音声信号の入出力コネクタとして一般的に用いられるピンジャックタイプのコネクタへの変換ケーブルによりＴＶ等の映像機器に接続される。
【００３６】
メモリカードＩ／Ｆ３１４は、メモリカードメディアに接続するためのものであり、内部の画像データのメモリカードへの書き込みや、メモリカード内の画像データの取り込みを行うことができる。
【００３７】
３１７は電源制御部であり、ハンドスキャナ６がファクシミリ本体１に接続されるときには、ファクシミリ本体１からの電源線３１６を介してハンドスキャナ６へ電源供給を制御し、２次電池３１５への充電制御を行い、ハンドスキャナ６がファクシミリ本体１から外されたときには、２次電池３１５から電源を供給するように、電源の切り替え制御を行うものである。２次電池３１５はハンドスキャナ６がファクシミリ本体１と独立して動作する時に電源を供給するためのものである。３１８はブザーであり、オペレータへ動作状況を音声で知らせるためのものである。
【００３８】
ハンドスキャナ６が単体で動作するときには、ハンドスキャナＩＣ３０７内部で生成された読み取り同期信号ＸＳＨ＿ＩがハンドスキャナＩＣ３０７からＣＰＵ３０１へ供給され、ハンドスキャナ６がファクシミリ本体１に接続されているときには、ハンドスキャナＩＣ３０７に入力される本体ｉ／ｆ２３１内のＸＳＨ信号がそのままＣＰＵ３０１へ出力される。
【００３９】
図４はハンドスキャナＩＣ３０７の画像処理部の構成を示す。図４において、８０１はＡ／Ｄ変換部であり、ラインセンサ３１２からのアナログ画像信号をデジタルデータに変換するものである。８０２は入力ｉ／ｆであり、デジタルデータを画像処理部に入力するためのものである。８１０はローカルメモリであって、シェーディング補正データを格納し、エッジ強調データと誤差拡散データを処理するためのワークメモリとして使用され、ＣＰＵ３０１（図３）からも読み書き可能になっている。
【００４０】
８０３はシェーディング補正部であって、Ａ／Ｄ変換部８０１の出力または入力ｉ／ｆ８０２の出力を選択的に入力し、ローカルメモリ８１０に格納されているラインセンサ３１２の暗出力データおよび明出力データを基に、シェーディング補正を行って、８ｂｉｔ／画素で出力するものである。シェーディング補正部８０３は、モノクロ処理時には、１対の各画素ごとの明・暗出力データを基に処理を行い、カラー処理時には、Ｒ，Ｇ，Ｂ各色ごとの明出力データと１つの暗出力データを基に、入力される読み取り色に対応して明出力データを切り換えて処理を行うが、入出力ｉ／ｆ８０２の出力を選択するときには補正処理は行わない。
【００４１】
８０４はエッジ強調処理部であり、画像のエッジ部を検出し強調処理を行うものである。８０５はγＲＡＭであり、γ補正用のルックアップ変換テーブルデータを格納するためのものである。８０６はγ補正部であり、シェーディング補正部８０３の出力を受け、γＲＡＭ８０４のデータに従って入力８ｂｉｔのデータを変換し、８ｂｉｔの出力を行うものである。
【００４２】
８０７は解像度変換部であり、多値レベルでのリニア変倍を行うものである。８０８は誤差拡散処理部であり、モノクロモードのみで使用する誤差拡散処理により各画素８ｂｉｔのデータを疑似ハーフトーン２値画像に変換するものである。８０９は出力ｉ／ｆであり、カラーモードまたはモノクロモードでは、多値データの出力を行うときは、解像度変換部８０７の出力を受け、モノクロ２値出力を行うときは、誤差拡散処理部８０８の出力を受けて、外部にデータを出力するものである。８１１は読み取りセンサｉ／ｆであり、ライン同期信号と、画素クロックと、ＬＥＤ点灯制御信号とを生成しラインセンサ３１２を制御するものである。８１２は移動検出センサｉ／ｆであって、移動検出センサ３０８からのＭＶ＿ＳＥＮＳ信号を入力して、変化点の数によって自動的に読み取り開始信号ＸＬＳＴ＿Ｓを生成するものである。
【００４３】
８１３は読み取り同期制御部であって、ＣＰＵ３０１（図３）からのライン同期信号ＸＳＨおよび読み取り開始信号ＸＬＳＴと、移動検出センサｉ／ｆ８１１のＸＬＳＴ＿Ｓ信号とを受けて、各ブロックへの同期制御信号を生成するものであり、ＸＬＳＴ＿Ｉはこの内部信号である。８１４はカラー階調変換部であって、バス３０２経由でＣＰＵ３０１がアクセス可能で、入力されたカラーデータを３次元誤差拡散法により印字出力可能なデータに変換すると共に、誤差の算出を行うものであり、ＲＧＢ各８ｂｉｔとのデータ入力に対して１画素あたりＣＭＹＫ各１または２ビットの印字データを生成して、１６ビット単位にパッキングして出力を行うものである。
【００４４】
原稿読み取りにおけるモードとしては、ハンドスキャナ１７が本体に装着されているか否かに対応した２つのモードがある。ハンドスキャナ１７がファクシミリ本体１に装着されている場合には、ファクシミリ本体１のオペレーションパネル１４からのキー操作により、解像度、カラー・モノクロ設定などが設定され、読取モードにおける読み取りが開始され、ファクシミリ装置は原稿挿入口１１に挿入された原稿を、原稿検出センサ２２１により検出し、読み取りモータ２２３を駆動し、原稿を搬送しながら原稿の読み取りを行なう。このモードをシート読み取りモードという。
【００４５】
他方、ハンドスキャナ６がファクシミリ本体１に装着されていない場合には、ハンドスキャナ６にあるキーとＬＥＤを有するオペレーションパネル３１９により操作することにより、各種設定を行い、ハンドスキャナ６による読み取りが可能な状態にする。そして、オペレータによりハンドスキャナ６を原稿上を移動させることにより、原稿の読み取りを行なう。このモードをハンドスキャナモードという。
【００４６】
次に、シート読み取りモード時の動作を説明する。シートコピーが指示されると、ＣＰＵ２０１によりハンドスキャナ６に対してシートコピーの指示が出される。この際に指定されるモードとして、送信・コピー、解像度指定（高精細、普通）、読み取りモード（文字、写真モード）、カラー・モノクロ読み取りが指定される。また、読み取り時に送信またはコピーの用途が決定されているため、読み取りモードにより図５のモードに対応する解像度で読み取りが行なわれ、ハンドスキャナＩＣ３０７の画像処理部から所定の形式でデータが出力される。
【００４７】
シートコピー指示を受けたハンドスキャナ６は、ＲＯＭ３０３内の画像処理プログラムの一部をＳＲＡＭ３０４にコピーする。これは、ＲＯＭ３０３のデータ読み出し速度に比し、ＳＲＡＭ３０４の書き込み読み出し速度が速いため、画像処理に関するプログラムをＳＲＡＭ３０４にコピーすることによって、ソフトウェアによる処理の高速化をはかるためである。
【００４８】
また、コピーするプログラム内容は指示される動作によって異なり、処理内容に合せたプログラム部分をコピーすることにより、様々な動作内容に対して高速化が可能である。
【００４９】
ハンドスキャナ６がファクシミリ本体１に格納されている時のモノクロ原稿読み取りでは、読み取りに先立って補正データの取得を行う。まず、ファクシミリ本体１からハンドスキャナ６へモノクロ補正データ取得命令が出されると、ハンドスキャナ６では緑色ＬＥＤ光源３１０を初期点灯時間点灯して、図示しない白基準板を読み取って、ラインセンサ３１２の出力レベルを監視する。ここで、光量が高くラインセンサ３１２からの出力が過大である場合には、緑色ＬＥＤ光源３１０の点灯時間を所定値短く設定して再度白基準板を読み取る。これを繰り返して適正なアナログ出力が得られる緑色ＬＥＤ光源３１０の点灯時間を決定し、白補正データの取得を行う。
【００５０】
取得した白補正データはハンドスキャナＩＣ３０７内部のローカルメモリ８１０に格納される。ついで、赤、緑、青色ＬＥＤ光源３０９，３１０，３１１を全て消灯し、複数回読み取り動作を行って、その平均値を暗補正データとしてローカルメモリ８１０に格納する。
【００５１】
これらの補正データの取得とＬＥＤ点灯時間の調整処理は、ファクシミリ本体１から送出される、同期信号に同期して行われる。また、実際の読み取り処理も同一の同期信号に同期して行われる。以下、この同期信号を「ＸＳＨ信号」という。ＸＳＨ信号の周期は２．５ｍｓである。
【００５２】
このとき得られた補正データは、ハンドスキャン時に使用するため、ローカルメモリ８１０から読み出し、フラッシュメモリ３０５にコピーする。補正データ取得が終了すると、ＣＰＵ２０１はファクシミリ本体１の原稿搬送系を駆動して原稿を搬送しながら読み取り動作を開始し、読み取り３１０センサからのアナログ信号をハンドスキャナＩＣ３０７に入力し、Ａ／Ｄ変換部８０１で量子化を行い、ローカルメモリ８１０に格納された補正データを基にシェーディング補正部８０３で白補正と暗補正を行い、その後、エッジ強調処理部８０４でエッジ強調処理を行い、γＲＡＭ８０５に格納されたデータに従いγ補正部８０６で濃度変換を行う。
【００５３】
さらに、例えば、解像度変換部８０７で、３００ｄｐｉの解像度からコピー出力用に３６０ｄｐｉの解像度というように、ファクシミリ本体１からの設定に応じた解像度変換をし、誤差拡散処理部８０８で２値化処理を行う。１画素当り１ビットになったデータは出力ｉ／ｆ８０９で１６ビット単位にパッキングされて出力され、一旦、ＳＲＡＭ３０４にライン単位で格納される。ＳＲＡＭ３０４のデータは、逐次、ライン単位で、ＣＰＵ３０１により読み出され、本体ｉ／ｆ２３１を介してＣＰＵ２０１に送出される。
【００５４】
次に、図６を参照して動作を説明する。図６はモノクロモードでの読み取りタイミングを示す図である。読み取りモータ２２３は１ステップで４００ｄｐｉの解像度の１ライン分を搬送するように構成されている。図６において、２ステップに１ライン読み取り動作を行なう例であり、副走査読み取り解像度は２００ｄｐｉである。図６のＲＭは読み取りモータ２２３の駆動相を示し、矢印のタイミングで駆動相が変化していることを示している。副走査方向の解像度を変更するには、この読み取り動作とモータ駆動ステップ数の対応を変更することにより行なわれる。４００ｄｐｉでの読み取りは、１ステップのモータ駆動に対して１ライン分読み取るとにより行なうことができ、１００ｄｐｉでの読み取りは、４ステップのモータ駆動に対して、１ライン読み取ることにより行なうことができる。
【００５５】
蓄積期間と、アナログ信号出力期間はそれぞれ信号ＸＬＳＴの入力に対して、有効なラインセンサ３１２の読み取り蓄積を行なう期間と、蓄積を行なったデータを出力する期間を示す。参照番号は対応関係を示し、蓄積期間と出力期間は１ＳＨ期間分ずれている。また、ラインセンサ３１２は常にＸＳＨ期間ごとに蓄積を行い、アナログ出力を行なっている。有効でないデータは図６には空白として示してあり、出力されるアナログデータはハンドスキャナＩＣ３０７に取り込まれず無効になる。
【００５６】
読み取り開始指示信号ＸＬＳＴはファクシミリ本体１から送出され、読み取り同期制御部８１３によりこの信号の立ち下がりが検出されると、１ラインの読み取り動作を予約し、次のＸＳＨ信号の立ち下がりに同期して読み取り動作を開始する。
【００５７】
同期制御部８１３の内部予約信号ＸＬＳＴ＿Ｉは、ＸＳＨ信号に同期してクリアされる。蓄積期間はラインセンサ３１２が露光蓄積をする期間であり、アナログ信号入力期間はラインセンサ３１２からハンドスキャナＩＣ３０７にアナログデータを入力する期間である。蓄積期間とアナログ信号入力期間に付した数字は対応関係を示す。ＲＭは矢印のあるところで読み取りモータ２２３の励磁相が変化したことを示す。シートスキャン時の読み取り動作は、ファクシミリ本体１側が主導権を持ち、読み取りモータ２２３の駆動と読み取り動作の指示をハンドスキャナ６に指示して行われる。
【００５８】
ＣＰＵ３０１は１ラインのデータがＳＲＡＭ３０４内のバッファに格納されると、逐次、ファクシミリ本体１ｉ／ｆ２３１を介して、ファクシミリ本体１側にデータを送出し、ファクシミリ本体１側では、ＣＰＵ２０１に入力された画像データが、一旦、ＤＲＡＭ２１９内の受信バッファに格納され、その後、データが所定量蓄積されると、ＤＲＡＭ２１９からデータを読み出して印字出力用のデータを作成し、プリントヘッド２１８にデータを出力して、印字出力を得る。
【００５９】
カラーシートコピーの場合は、ＬＥＤの光量調整をＲＧＢ各色について行い、ＲＧＢ３色分の白補正データを取得し、時分割に赤、青、緑色ＬＥＤ光源３０９，３１０，３１１を切り替えながら、１ライン単位で各色の読み取りを行う。そして、ＲＧＢの順序でライン順次の形式で入力されるデータに、各色の白補正データに基づいた白補正と、各色共通の暗補正データに基づいた暗補正とを行う。その後、エッジ強調処理部８０４でエッジ強調処理が行なわれ、ＲＧＢ各色独立にγＲＡＭ８０５に格納されたデータに従い、γ補正部８０６で濃度変換される。
【００６０】
γ補正後のデータは必要に応じて解像度変換部８０８で解像度変換され、１画素当り８ビットのデータは出力ｉ／ｆ８０９で１６ビット単位にパッキングされて出力され、モノクロ時と同様に、一旦、ＳＲＡＭ３０４にライン単位で格納される。
【００６１】
コピーの場合は、カラー階調変換部８１４にデータが書き込まれ、階調変換が行なわれた画像が、通信の場合はそのまま、逐次ファクシミリ本体１ｉ／ｆ２３１を介してファクシミリ本体１側に送出される。ファクシミリ本体１側では、ハンドスキャナ６から入力された画像データが、一旦、ＤＲＡＭ２１９に格納され、その後、データが所定量蓄積されると、ＤＲＡＭ２１９からデータが読み出され、印字出力用のデータが作成され、プリントヘッド２１８に出力され、印字出力を得る。
【００６２】
ここで、カラー時の緑色用の白補正データと、モノクロ時の白補正データとが、共用で使用されるように、ゲートアレイ３０６内の白補正データ格納メモリの領域が共用されるように構成されている。同様に、暗補正データもカラー時とモノクロ時で共用となっている。
【００６３】
画像をＦＡＸ送信する場合には、ファクシミリ本体１側ではハンドスキャナ６からのデータを通信相手に応じて符号化を行って、モデム２０６で変調を行いＮＣＵ２０７を介して相手機に送信する。
【００６４】
次に、ハンドスキャナ６による読み取り動作を説明する。ハンドスキャナ６による読み取りでは、読み取りモードとして、カラー、モノクロ写真、モノクロ文字の３モードと、解像度選択モードとして、高精細と普通の２モードがあり、各読み取りモードごとに解像度の選択が可能であり、６モードの組み合わせが可能になっている。図７は各モードでの主走査・副走査解像度をテーブルにして示す。ハンドスキャナ６による読み取りがシート読み取りと異なる点は、読みとりの際に用途が確定できていない点にある。このため、用途を限定した読み取り処理を行うと、使用時に画像の劣化が発生する可能性がある。例えば、モノクロ写真モードの読み取り処理時に、主走査解像度及び副走査解像度が２００ｄｐｉで２値化処理まで行うと、コピー出力の際に解像度を３６０ｄｐｉに変換する必要があり、画像が劣化してしまう。主走査解像度をラインセンサ３０２の解像度と同一にして読み取り蓄積を行うこと、多値レベルでの蓄積を行うこと、使用時の用途に応じて再度画像処理を行うことにより、用途に応じた最適な画像を得ることができる。ここで副走査解像度は、読み取り速度に影響を与えるため、主走査解像度とは異なり、解像度設定に従って変更される。
【００６５】
また、図８に示すように、この際の読み取りγ変換補正もＪＰＥＧ圧縮率の向上を図るため最小限の補正を行うにとどめ、図９に示すように使用時に用途に応じた変換を再度行なうことで画像の劣化を防ぐように制御する。
【００６６】
ハンドスキャナ６がファクシミリ本体１に格納されていない時のモノクロ原稿読み取りは、白補正データと暗補正データＬＥＤの点灯時間は直前に行ったシート読み取り時に取得したデータに基づいて行う。ハンドスキャナ６による読み取りが指示されると、ＣＰＵ３０１はフラッシュメモリ３０５に格納された補正データをローカルメモリ８１０にコピーする。さらに、ＲＯＭ３０３内のハンドスキャナ読み取りに関係した画像処理プログラムの一部をＳＲＡＭ３０４の領域にコピーする。図９はモノクロモードでのスキャナ部の移動量と、読み取りトリガ出力のタイミング図である。
【００６７】
移動検出センサ３０８からの移動検出信号ＭＶ＿ＳＮＳは、ハンドスキャナ６が移動するとき、ハンドスキャナ６のガイドローラ７の回転に応じて変化する信号である。移動検出センサ３０８の出力の変化回数によって、ハンドスキャナ６の移動量が計測され読み取り動作が行なわれるように制御される。
【００６８】
ここでは、移動検出信号ＭＶ＿ＳＮＳの変化点２回に対し、読み取りを１回行う例を説明する。ハンドスキャナ６による読み取り時には、ハンドスキャナＩＣ３０７により生成されるＸＳＨ信号が使用される。ＸＳＨ信号の周期は２．５ｍｓである。
【００６９】
カウンタ値は移動検出センサ８１２内のＭＶ＿ＳＮＳ信号の変化点をハード的に計測したカウンタの値であり、カウンタ値はＣＰＵ３０１から読み出し書き込みが可能である。ラインセンサ３１２はＸＳＨの１周期分の時間で１ラインを読み取り、読み取った画像データを出力する。このため、ラインセンサ３１２からのアナログ信号を受け処理する後段の画像処理部が高速であれば、読み取り時間は主走査方向解像度に関係なく、副走査方向の読み取り解像度に比例する。オペレータが手動でハンドスキャナ６を副走査方向に移動させ画像を走査する読み取り時には、ＸＳＨ期間を短く設定するか、副走査方向の解像度を落とすことによって、許容される移動速度の幅が広がるので、読み取り操作が容易になる。
【００７０】
読み取り同期制御部８１３の内部信号ＸＬＳＴ＿Ｉの生成は、ハンドスキャナによる読み取りモードにおいて、移動検出センサｉ／ｆ８１２でカウンタ値と所定値（ここでは２）とを比較し、所定値以上ＭＶ＿ＳＮＳの変化点をカウントすると、Ｈ→Ｌに変化するシート読み取り時のＸＬＳＴと等価の読み取り開始指示信号を、読み取り同期制御部８１３が受け生成する。
【００７１】
ＭＶ＿ＳＥＮＳ信号が４００ｄｐｉの解像度を持つように構成されている。副走査方向の解像度は上記カウンタ値との比較用の所定値を変更することによって行われ、高品位モードでは２つの信号変化点ごとに読み取りを動作を行うので、副走査方向の解像度は２００ｄｐｉであり、普通モードではＭＶ＿ＳＥＮＳ信号の４つの変化点ごとに読み取り動作を行い、１００ｄｐｉの解像度で読み取るようになっている。ハンドスキャナＩＣ３０７では、ＸＳＨ信号の立ち上がりに同期してＸＬＳＴ＿Ｉ信号をサンプリングし、レベルがＬｏであれば読み取り動作を開始する。ＸＬＳＴ＿Ｉ信号はＸＳＨ信号に同期してクリアされる。ＣＰＵ３０１はＸＳＨ信号を割り込み信号入力としており、この割り込み処理において、ハンドスキャナＩＣ３０７のステータスを監視し、読み取り動作の開始があった場合には、カウンタ値の減算処理を行う。図９において、カウンタ値の更新に＊印があるところが、ＣＰＵ３０１による減算処理が行われたところである。
【００７２】
副走査方向の読み取り解像度の変更は、ＭＶ＿ＳＥＮＳ信号の変化点の数とＸＬＳＴ＿Ｉ信号の生成の対応を変更することにより行なわれる。
【００７３】
ハンドスキャナ６が適正に移動しているときは、読み取りを行っているとオペレータに分かるように、ブザー３１８から、読み取り速度に応じた周波数の音を出力させ、ハンドスキャナ６の図示しないＬＥＤを点滅させる。所定値以上のカウンタ値の増加が見られるときには、ハンドスキャナ６の移動速度が速すぎると判断し、ブザー３１８から警告音を出力する。
【００７４】
蓄積期間はラインセンサ３１２が露光をしている期間であり、各ＸＳＨ期間で蓄積動作が行われているが、有効なデータ以外は記載していない。アナログ入力は、ラインセンサ３１２の読み取りデータがハンドスキャナＩＣ３０７に出力されるタイミングを示している。また、蓄積期間とアナログ信号入力期間に付した数字は対応関係を示す。
【００７５】
ハンドスキャナ６が所定移動量を移動したことが検出され、ＸＬＳＴ＿Ｉ信号がＬｏになると、ハンドスキャナＩＣ３０７では、次のＳＨ期間から読み取り動作を開始し、ラインセンサ３１２からのアナログ信号をＡ／Ｄ変換部８０１で量子化し、ローカルメモリ８１０に格納された補正データを基にシェーディング補正部８０３で白補正と暗補正を行う。その後、文字モードが選択されたときには、エッジ強調処理部８０４でエッジ強調処理をし、γ補正部８０６で、図１０の濃度変換を行い、解像度変換部８０７で解像度設定に応じて、高精細モードでは主走査２００ｄｐｉ、普通モードでは１００ｄｐｉに主走査解像度変換を行い、誤差拡散処理部８０８で誤差拡散法により２値化処理を行って、ライン単位でＳＲＡＭ３０４に出力する。
【００７６】
写真モードが選択された時には、エッジ強調処理部８０４でエッジ強調処理は行わず、γ補正部８０６で、図１０に示す濃度変換を行い、１画素あたり８ｂｉｔの多値データの形式でＳＲＡＭ３０４に格納する。この際の解像度は、副走査方向については、高精細モード時２００ｄｐｉ、普通モード時１００ｄｐｉ、主走査方向については、ラインセンサ３１２と印字解像度の解像度の低い値である３００ｄｐｉで出力ｉ／ｆ８０９から出力し、ＳＲＡＭ３０４に格納する。これは、主走査方向は必要な最大解像度で記憶することにより読み取った画像を印字出力する場合の品位向上を図るためである。
【００７７】
ファクシミリ送信する場合は、縮小して２値化することになるが、多値レベルでの縮小操作を行うこと、元々のセンサ解像度と同じ解像度で保持していて、直接ファクシミリ解像度に変換したときと同等の操作になるため、読み取り時にファクシミリ解像度に変換して２値化した場合に比して、画像の劣化はない。
【００７８】
また、読み取りセンサは１ラインを定速２．５ｍｓで読み取るので、主走査方向の蓄積解像度を変更しても、読み取り速度に影響はない。写真モードに対して、文字モードで主・副走査方向の解像度を連動させて変更しているのは、文字モードでは可読性を重視するため、印字出力時に２値レベルでの単純な画素重複による解像度変換を行っても支障がないこと、主走査方向の解像度を高く取り２値レベルで画像データを保持すると、ファクシミリ送信時にデータの欠落が発生すること、データー量圧縮、の３つの理由からである。
【００７９】
図１０の特性は入出力値を同一とし出力時の補正で所望の特性を得ることができるが、ＪＰＥＧ圧縮の圧縮率向上のために多少の階調圧縮を行っている。ＳＲＡＭ３０４に書き込まれたデータは、逐次、ＣＰＵ３０１により、モードに応じて、文字モードではＪＢＩＧ圧縮法により、写真モードではモノクロＪＰＥＧ法により圧縮処理を行い、フラッシュメモリ３０５に書き込まれる。
【００８０】
移動の検出と読み取り動作は、ハンドスキャナ６のオペレーションパネルからの終了指示があるか、所定長以上の読み取りが行われたとき、所定時間以上移動が検出されないとき、または、メモリ残量が無くなるまで継続され、読み取った画像がページ単位でフラッシュメモリ３０５に保持される。
【００８１】
ハンドスキャナ６がファクシミリ本体１に接続され、オペレータから、読み取った画像を印字出力するように指示された場合は、ＣＰＵ３０１はフラッシュメモリ３０５内のデータを読み出し、ＣＰＵ３０１により所定の伸張処理をし、電子写真データを印字出力する場合は、ハンドスキャナＩＣ３０７と協働して入力ｉ／ｆ８０２から多値データを入力し、読み取り時に使った処理系を再度通すことにより、図１１においてａで示す濃度変換を行い、主走査副走査の解像度変換処理を行い、誤差拡散法による２値化処理を行った後、本体ｉ／ｆ２２８を介してＣＰＵ１０１に画像データを逐次送出し、ＣＰＵ１０１では受信したデータを、一旦、ＤＲＡＭ２１９に格納する。
【００８２】
図１１においてａで示す特性は、多少の下地除去とプリンタの濃度特性に合わせた輝度濃度変換となっている。文字データの印字出力の場合は、フラッシュメモリ３０５内のデータを読み出し、ＣＰＵ３０１により所定の伸張処理を行い、本体ｉ／ｆ２２８を介してＣＰＵ１０１に画像データを逐次送出し、ＣＰＵ１０１では受信したデータを、一旦、ＤＲＡＭ２１９に格納する。
【００８３】
以降は、シートコピー時の処理と同様の処理により、ハンドスキャナ６からのデータの入力と印字動作を繰り返す。
【００８４】
ただし、文字モード時には、ＤＲＡＭ２１９の画像データにプリンタ解像度への解像度変換の処理が追加される。送信指示の場合は、文字モードでは、ＤＲＡＭ２１９までのデータの流れは同一である。写真モード時は、ＣＰＵ３０１はフラッシュメモリ３０５内のデータを読み出し、ＣＰＵ３０１により所定の伸張処理を行い、ハンドスキャナＩＣ３０７と協働して、図１１においてｂで示す濃度変換を行い、主走査副走査の解像度変換処理と誤差拡散法による２値化処理行った後、ファクシミリ本体１ｉ／ｆ２２８を介してＣＰＵ１０１に画像データを逐次送出し、ＣＰＵ１０１では受信したデータを、一旦、ＤＲＡＭ２１９に格納する。
【００８５】
図１１においてｂで示す特性は、全黒部に孤立白画素や、全白部に孤立黒画素が発生しにくいように、両端部が図１０においてａで示す特性に比して、大きくクランプされた形になっている。ＤＲＡＭ２１９に格納されたデータを通信相手に応じて、符号化を行って、モデム２０６で変調を行い、ＮＣＵ２０７を介して相手機に送信する。
【００８６】
カラー時には、ＸＬＳＴ発行１回につき、赤、青、緑色ＬＥＤ光源３０９，３１０，３１１をＸＳＨ周期ごとに切り替えて、ＲＧＢ各色について行うだけで、モノクロ読み取り時の処理と大きな差異はない。副走査の解像度変更については、モノクロと同様の処理なので、説明は省略する。
【００８７】
ラインセンサ３１２からのアナログ信号は、Ａ／Ｄ変換部８０１でＡ／Ｄ変換してデジタルデータとし、シェーディング補正部８０３でＲＧＢ各色独立に白補正暗補正を行った後、エッジ強調は行わないで、ＲＧＢ各色独立に輝度特性の補正を行い、ライン単位で１画素当り８ｂｉｔの多値データの形式で、ＳＲＡＭ３０４に格納する。ＳＲＡＭ３０４に書き込まれたデータは、逐次、ＣＰＵ３０１により所定の色空間変換と圧縮処理が行なわれ、フラッシュメモリ３０５に蓄積される。
【００８８】
カラー読み取り時もモノクロ写真モード時と同様に、読み取ったデータを多値レベルで保持するので、主走査方向の解像度を、主走査方向はラインセンサ３１２と印字解像度の解像度の低い値である３００ｄｐｉとすれば、印字出力時の品位向上が期待される。
【００８９】
図１１に示したように、カラー読み取り時の主走査解像度は２００ｄｐｉにしてある。これはモノクロデータに対してカラーデータはＪＰＲＧ圧縮を行っても１．５倍〜２倍程度となってしまうためであり、フラッシュメモリ３０５の容量による制約である。蓄積メモリの容量が十分有れば、モノクロ写真モードに同じく、主走査３００ｄｐｉで読み取り蓄積を行った方が、画質が向上する。
【００９０】
ハンドスキャナ６がファクシミリ本体１に接続され、オペレータから読み取った画像を印字出力するように指示された場合は、ＣＰＵ３０１はフラッシュメモリ３０５内のデータを読み出し、所定の伸張処理を行い、ハンドスキャナＩＣ３０７と協働して入力ｉ／ｆ８０２にカラー多値データを入力する。もって、読み取り時に使った処理系を再度通すことにより、エッジ強調処理、γ補正処理、解像度変換処理が行なわれる。その後、再度、データがＳＲＡＭ３０４にライン単位で格納され、カラー階調変換部８１４で書き込み階調変換を行った画像データが、逐次、本体ｉ／ｆ２３１を介してＣＰＵ１０１に逐次送出され、ＣＰＵ１０１により、一旦、ＤＲＡＭ２１９に格納される。
【００９１】
以降は、シートコピー時の処理と同様の処理により、ハンドスキャナ６からのデータの入力と印字動作が繰り返される。
【００９２】
送信指示の場合は、フラッシュメモリ３０５内のデータが読み出され、ＣＰＵ３０１により所定の伸張処理が行なわれた後、所定の色空間の変換処理が行なわれる。その後、画像データが本体ｉ／ｆ２２８を介してＣＰＵ１０１に逐次送出され、ＣＰＵ１０１により、一旦、ＤＲＡＭ２１９に格納される。ＤＲＡＭ２１９に格納されたデータは、通信相手に応じて符号化され、モデム２０６で変調され、ＮＣＵ２０７を介して相手機に送信される。
【００９３】
以下に本発明の実施態様の例を列挙する。
〔実施態様１〕  ハンドスキャナを有するファクシミリ装置において、
前記ハンドスキャナは、
画像をカラーまたはモノクロのいずれで取り込むかを指示するための第１カラー・モノクロ指示手段と、
読み取る画像の主走査解像度と副走査解像度の対を予め定めた複数対から選択するための第１選択手段と、
文字モードまたは写真モードのいずれで画像を読み取るかを指示するための第１モード指示手段と、
読み取られた画像を処理する画像処理手段と、
前記第１カラー・モノクロ指示手段および前記第１モード指示手段によるそれぞれの指示と、前記第１選択手段により選択された解像度とに従って前記画像処理手段を制御する第１制御手段と
を備え、
本ファクシミリ装置は、
カラーまたはモノクロのいずれで画像を取り込むかを指示するための第２カラー・モノクロ指示手段と、
入力された画像を送信するかコピーするかのいずれかを指示するための送信・コピー指示手段と、
該指示手段により指示された送信またはコピーするための画像の主走査解像度と副走査解像度の対を予め定めた複数対から選択するための第２選択手段と、
文字モードまたは写真モードのいずれで画像を読み取るかを指示するための第２モード指示手段と、
前記第２カラー・モノクロ指示手段および前記第２モード指示手段によるそれぞれの指示と、前記第２選択手段により選択された解像度とに従って前記画像処理手段を制御する第２制御手段と、
画像を前記送信・コピー指示手段によるコピー指示に応答して画像形成する画像形成手段と、
画像を前記送信・コピー指示手段による送信指示に応答して送信する送信手段と
を備えたことを特徴とするファクシミリ装置。
【００９４】
〔実施態様２〕  実施態様１において、前記予め定めた複数対は、写真モードが指示された場合における主走査解像度が、前記画像形成手段の解像度と前記ハンドスキャナの解像度のうちの小さい方の解像度であることを特徴とするファクシミリ装置。
【００９５】
〔実施態様３〕  実施態様１において、前記予め定めた複数対は、文字モードが指示された場合における主走査解像度が副走査解像度と同一であることを特徴とするファクシミリ装置。
【００９６】
〔実施態様４〕  実施態様１において、前記画像処理手段は、前記第１モード指示手段により文字モードが指示されたとき、多値データを２値化して２値データを生成することを特徴とするファクシミリ装置。
【００９７】
〔実施態様５〕  実施態様１において、前記画像処理手段は、前記第１モード指示手段により写真モードが指示されたとき、多値データを生成することを特徴とするファクシミリ装置。
【００９８】
〔実施態様６〕  実施態様１において、前記画像処理手段は、前記第１カラー・モノクロ指示手段によりカラーが指示されたとき、多値データを生成することを特徴とするファクシミリ装置。
【００９９】
〔実施態様７〕  実施態様４において、前記画像処理手段は、前記生成した２値データを圧縮する２値データ圧縮手段を有することを特徴とするファクシミリ装置。
【０１００】
〔実施態様８〕  実施態様５または６において、前記画像処理手段は、前記生成した多値データを圧縮する多値データ圧縮手段を有することを特徴とするファクシミリ装置。
【０１０１】
〔実施態様９〕  実施態様４ないし８のいずれかにおいて、前記画像処理手段は、得られたデータをストアするためのストア手段を有することを特徴とするファクシミリ装置。
【０１０２】
【発明の効果】
以上説明したように、本発明によれば、上記のように構成したので、画像形成される画像の品位と送信される画像の品位をより向上させることができる。
【図面の簡単な説明】
【図１】本発明の一実施の形態を示すブロック図である。
【図２】図１のファクシミリ装置の外観を示す斜視図である。
【図３】図２のハンドスキャナ６の構成を示すブロック図である。
【図４】ハンドスキャナＩＣ３０７の画像処理部の構成を示すブロック図である。
【図５】読み取りモードと解像度の対応関係の一例をテーブルにして示す図である。
【図６】モノクロモードでの読み取りのタイミングを示すタイミング図である。
【図７】ハンドスキャン時に設定される読み取り解像度の一例をテーブルにして示す図である。
【図８】文字モードでの濃度変換特性の一例を示す図である。
【図９】モノクロモードでのスキャナ部の移動量と、読み取りトリガ出力のタイミングを示すタイミング図である。
【図１０】写真モードでの濃度変換特性の一例を示す図である。
【図１１】濃度変換特性の一例を示す図である。
【符号の説明】
１  ファクシミリ本体
６  ハンドスキャナ
１４  操作部
１５  表示部
２０２，３０１  ＣＰＵ
２０５，３０２  バス
２０６  ＤＲＡＭ
２０９，３０３  ＲＯＭ
３０４  ＳＲＡＭ
３０５  フラッシュメモリ
３０７  ハンドスキャナＩＣ
３１５  ２次電池
８０１  Ａ／Ｄ変換部
８０２  入力ｉ／ｆ
８０３  シェーディング補正部
８０４  エッジ強調処理部
８０５  γＲＡＭ
８０６  γ補正部
８０７  解像度変換部
８０８  誤差拡散処理部
８０９  出力ｉ／ｆ
８１０  ローカルメモリ
８１１  読み取りセンサｉ／ｆ
８１２  移動検出センサｉ／ｆ、
８１３  読み取り同期制御部
８１４  カラー階調変換部
【図１】
2004153719.tif 000003
【図２】
2004153719.tif 000004
【図３】
2004153719.tif 000005
【図４】
2004153719.tif 000006
【図５】
2004153719.tif 000007
【図６】
2004153719.tif 000008
【図７】
2004153719.tif 000009
【図８】
2004153719.tif 000010
【図９】
2004153719.tif 000011
【図１０】
2004153719.tif 000012
【図１１】
2004153719.tif 000013